(57)【要約】  【課題】マウント固定部材にマグネシウムダイキャストを用いると、部材のコストが高価になってしまうという問題があった。  【解決手段】レンズマウント部を有する撮像装置に於いて、前記レンズマウント部と撮像素子が固定されたマウント固定部材と、前記レンズマウント部外周を構成する外観カバーと、前記外観カバーの内面に配置された板金部材とを有し、前記板金部材は、前記マウント固定部材と前記レンズマウント近傍でビス止め固定されるビス締結面と、前記ビス締結面と略直交する方向かつ前記レンズマウント面から離間する方向に形成された略筒形状の壁部と、前記壁部の前記ビス締結面と反対側に前記ビス締結面と略平行に形成された固定平面を有し、前記外観カバーと前記板金カバーは前記ビス締結面と前記固定平面でビス止め固定されていることを特徴とする。【選択図】図３
2018146776.tif 000002
【特許請求の範囲】
【請求項１】
レンズマウント部を有する撮像装置に於いて、
前記レンズマウント部と撮像素子が固定されたマウント固定部材と、
前記レンズマウント部外周を構成する外観カバーと、前記外観カバーの内面に配置された板金部材とを有し、
前記板金部材は、前記マウント固定部材と前記レンズマウント近傍でビス止め固定されるビス締結面と、前記ビス締結面と実質直交する方向かつ前記レンズマウント面から離間する方向に形成された実質筒形状の壁部と、前記壁部の前記ビス締結面と反対側に前記ビス締結面と実質平行に形成された固定平面を有し、
前記外観カバーと前記板金カバーは前記ビス締結面と前記固定平面でビス止め固定されていることを特徴とする撮像装置。
【請求項２】
請求項1に記載の撮像装置に於いて、
前記板金部材は均一厚さの板材料を、絞り加工によって前記壁部として形成したことを特徴とする撮像装置。
【発明の詳細な説明】
【技術分野】
【０００１】
本発明はレンズ交換可能な撮像装置のマウント固定方法に関する。
【背景技術】
【０００２】
レンズ交換式ビデオカメラにおいては、撮影レンズからレンズマウント部を介して撮像装置本体に伝達される外力に対する変形を抑制することが求められる。そのため、撮像装置においては、レンズマウント部保持部材を一体形成することなどによって、強度が確保されている。
【０００３】
例えば、特許文献１には、レンズマウント部が固定されたマウント固定部材と、バッテリホルダユニットを含む複数の構成ユニットであって前記マウント固定部材の周囲に設けられる複数の構成ユニットが一体的に結合された結合体と、前記結合体に固定され前記結合体に一体化するとともに、前記マウント固定部材が固定される前側部材と、を備えた撮像装置が提案されている。
【先行技術文献】
【特許文献】
【０００４】
【特許文献１】特開2010-243634号公報
【発明の概要】
【発明が解決しようとする課題】
【０００５】
しかしながら、特許文献１の構成では軽量化のためにレンズマウント部を支える金属部材を省略しているため、強度を確保するためにはマウント固定部材をマグネシウムダイキャスト等の金属成形材を用いる必要がある。マウント固定部材にマグネシウムダイキャストを用いると、部材のコストが高価になってしまうという問題があった。マウント部の強度を金属部材で支える相当に確保しつつ、マグネシウムダイキャスト等の高価な部品を使用しないマウント固定方法の提供を目的とする。
【課題を解決するための手段】
【０００６】
上述した課題を解決するために、本発明における撮像装置は
レンズマウント部を有し、
前記レンズマウント部と撮像素子が固定されたマウント固定部材と、
前記レンズマウント部外周を構成する外観カバーと、前記外観カバーの内面に配置された板金部材とを有し、
前記板金部材は、前記マウント固定部材と前記レンズマウント近傍でビス止め固定されるビス締結面と、前記ビス締結面と略直交する方向かつ前記レンズマウント面から離間する方向に形成された略筒形状の壁部と、前記壁部の前記ビス締結面と反対側に前記ビス締結面と略平行に形成された固定平面を有し、
前記外観カバーと前記板金カバーは前記ビス締結面と前記固定平面でビス止め固定されていることを特徴としている。
【発明の効果】
【０００７】
本発明によれば、マウント部の強度を金属部材で支える相当に確保しつつ、マグネシウムダイキャスト等の高価な部品を使用しないマウント固定方法が得られる。
【図面の簡単な説明】
【０００８】
【図１】デジタルビデオカメラ１０１の外観図
【図２】デジタルビデオカメラ１０１の外観図
【図３】ベース部材  ２０１の詳細図
【発明を実施するための形態】
【０００９】
＜第１の実施形態＞
図1(a)に本実施例におけるデジタルビデオカメラ１０１の外観図を示す。以降の説明に用いる前後上下左右は図示の座標系xyz  １０２に則る。ｘ方向の矢印方向が前、矢印と反対方向が後、ｙ方向の矢印方向が上、矢印と反対方向が下、ｚ方向の矢印方向が右、矢印と反対方向が左とする。
【００１０】
デジタルビデオカメラ１０１は一般的に業務用として使用されるレンズ交換式のビデオカメラで、全面にマウント  １０３を備え、周囲を図の通り外観カバー  １０４が覆っている。マウント  １０３の内部には一般的なレンズ交換式ビデオカメラと同様に撮像素子１０５を備えている。マウント  １０３へのレンズ取り付けやレンズ交換方法は一般的なレンズ交換式ビデオカメラと同様であるため割愛する。その他の基板構成や外観カバー構成、端子構成は一般的なレンズ交換式ビデオカメラと共通であり、本発明の要点と関係性が低いためこちらも割愛し、本実施例に於いては図１(b)に示すフロントカバーユニット  １０６のみについて説明する。
【００１１】
フロントカバーユニット  １０６はマウント  １０３及び外観カバー  １０４から、撮像素子  １０５を実装した撮像素子基板  １０７までを含むユニットである。デジタルビデオカメラ１０１本体とは図示しない配線やビス等の締結手段で結合されているものとする。
【００１２】
図１（ｃ）にフロントカバーユニット  １０６から外観カバー  １０４を取り外す模式図を示す。外観カバー  １０４は図中６本のビス  １０８によってフロントカバー  １０９に設けられたビス穴１１０を介して締結される。フロントカバー  １０９単品の詳しい形状は後述するが、材質はポリカーボネート等の樹脂材料からなる。外観カバー  １０４にはマウント  １０３よりも外径が大きい外観カバー開口部  １１１が備えられ、マウント  １０３と外観カバー  １０４は直接接触しない構成である。
【００１３】
図２(a)にフロントカバーユニット  １０６から外観カバー  １０４を取り除いた状態からフロントカバー  １０９とマウントベース  ２０２が組み合わさった状態のユニットを取り外す模式図を示す。フロントカバー  １０９とベース部材  ２０１は後述するように一体的に取り扱えるよう締結されたユニットに構成されており、このユニットと撮像素子  １０５や撮像素子基板  １０７を接続したマウントベース  ２０２が、図中７本のビス  １０８で図の通り締結されている。
【００１４】
ベース部材  ２０１の形状詳細も後述するが、材質はステンレス等の板材を絞り加工や曲げ加工で加工した均一厚さの部材からなる。ベース部材  ２０１に設けられたマウント用開口部  ２０３からマウント  １０３が挿通するように構成されており、前述したビス  １０８による締結はベース部材  ２０１に設けられた平面状のマウントベース締結面  ２０４に対して行われている。
【００１５】
本実施例のマウントベース  ２０２とベース部材  ２０１の締結方法の目的は、従来のレンズ交換式ビデオカメラでも採用されているマウント部の保持方式のものと同様で、マウント部に取り付けられたレンズに加わる外力や外観カバーに加わる外力が、撮像素子  １０５とマウント  １０３の位置関係を損なわないようにするためである。そのためにマウント  １０３を含むマウントベース  ２０２及び撮像素子基板  １０７は、図示したマウントベース締結面  ２０４との締結以外では、他の構成要素と剛的に接合されないように構成されている。
【００１６】
次に図２(b)(c)を用いてフロントカバー  １０９とベース部材  ２０１の一体化について詳述する。図２(b)に示す通り、フロントカバー  １０９の前面側から、６本のビス  １０８によってベース部材  ２０１のマウントベース締結面  ２０４に設けられたビス穴１１０に対して締結がなされている。
【００１７】
また図２(c)に示す通り、ベース部材  ２０１の後ろ面側からフロントカバー  １０９に設けられたビス穴１１０に対して８本のビス  １０８で締結されている。背景技術で説明した通り、従来はこの一体的に取り扱えるユニットの代わりに、マグネシウムダイキャスト等の金属成形材で作製された部材でマウント  １０３及びマウントベース  ２０２を保持してきた。
【００１８】
従来の金属成形材と同程度の強度を担保するべく、本実施例のユニットはこのように多くのビス  １０８を使用して、前後から 接合している。前述の通りフロントカバー  １０９は樹脂材料からなり、単品での強度は金属成形材には及ばない。そのため、ベース部材  ２０１を内側にあてがうことにより、金属成形材と同等もしくはそれ以上の強度を得られるように構成されている。フロントカバー  １０９は一般的なビデオカメラに用いられる外観カバーと同様に、樹脂材料特有の意匠自由度を有し、図で示す通りベース部材  ２０１のような均一厚さの板金部材では得られない自由曲面の外観を構成することが可能である。
【００１９】
次に図３を用いて、ベース部材  ２０１の形状詳細について説明する。前述の通りベース部材  ２０１はステンレス等の板材を絞り加工や曲げ加工で加工した均一厚さの部材からなり、マウントベース締結面  ２０４と直交するマウント用開口部  ２０３の外環状に構成された絞り壁  ３０２を有する。
【００２０】
絞り壁  ３０２の後ろ側にはフランジ面  ３０３を有し、このフランジ面  ３０３を基準とした場合に絞り加工でマウントベース締結面  ２０４が前方に絞りだされる形で絞り壁  ３０２が形成される。一般的にこのような絞り加工がなされた筒状の部材は加工硬化を伴うことで強度が増すとともに、マウントベース締結面  ２０４に対するネジレ強度を増すことが可能である。一般的に板材を絞り加工する方が、ダイキャスト等の金属射出成形よりも金型費用や2次加工の費用などで安価に作製することができる。
【００２１】
次に図３(b)(c)を用いてフロントカバー  １０９とマウントベース  ２０２が組み合わさった状態のユニットのビス  １０８締結に関する詳細を説明する。図３(b)は図３(c)のA-A断面模式図を表している。図の通り、フロントカバー  １０９にはベース部材  ２０１のマウントベース締結面  ２０４とフランジ面  ３０３に対応した段差が備えられ、それぞれの面でビス  １０８によって締結されている。
【符号の説明】
【００２２】
１０１ ・・・・ デジタルビデオカメラ
１０２ ・・・・ 座標系xyz  
１０３ ・・・・ マウント  
１０４ ・・・・ 外観カバー  
１０５ ・・・・ 撮像素子  
１０６ ・・・・ フロントカバーユニット  
１０７ ・・・・ 撮像素子基板  
１０８ ・・・・ ビス  
１１０ ・・・・ ビス穴
１１１ ・・・・ 外観カバー開口部
１０９ ・・・・ フロントカバー  
２０１ ・・・・ ベース部材  
２０２ ・・・・ マウントベース  
２０３ ・・・・ マウント用開口部  
２０４ ・・・・ マウントベース締結面  
３０２ ・・・・ 絞り壁  
３０３ ・・・・ フランジ
【図１】
2018146776.tif 000003
【図２】
2018146776.tif 000004
【図３】
2018146776.tif 000005